(57)【要約】    【課題】    縦置搭載エンジンの排気系に排気処理装置や触媒コンバータ等の重量物を設けた場合に、排気管類の熱膨張に対応しつつ触媒コンバータ等の重量物を確実に支持でき、さらに組立作業性改善や触媒コンバータ活性化を達成可能な排気系構造を提供する。    【解決手段】    エンジン２後部の変速機３の側方における、排気マニホールド４から後方に下流側を下方に傾斜させて延びる排気通路１０上に触媒コンバータ１２を配設する。コンバータ１２の下流側で略水平に変速機３に沿って延びる排気通路１０上に排気シャッターバルブ１３、第１フレキシブルジョイント２４を配設する。ジョイント２４の下流側で排気微粒子除去装置１４を車体に支持する。上記略水平部分を構成する排気管１８をその軸方向に移動可能に緩拘束する緩拘束機構８２を介して排気管１８のバルブ１３近傍部位を変速機３に支持する。    【選択図】    図２
2005155440.tif 000002
【特許請求の範囲】
【請求項１】
後部に変速機が配置された縦置搭載エンジンの排気系構造であって、変速機の側方において、エンジンの排気マニホールドから後方に下流側を下方に傾斜させて延びる排気通路上に触媒コンバータを配設すると共に、該コンバータの下流側の排気通路を略水平方向に屈曲させて、この略水平に変速機に沿って延びる排気通路上に上流側から順に排気シャッター弁、及びフレキシブルジョイントを配設し、かつ該フレキシブルジョイントの下流側に車体に支持された排気処理装置を配設し、上記フレキシブルジョイントの上流側の排気通路の上記略水平部分を構成する排気管をその軸方向に移動可能に緩拘束する緩拘束手段を設け、該緩拘束手段を介して上記排気管における排気シャッター弁近傍部位を変速機に支持するように構成したことを特徴とする縦置搭載エンジンの排気系構造。
【請求項２】
排気処理装置はその前部と後部とで車体に支持されていると共に、該後部側の支持部よりも下流に第２フレキシブルジョイントが設けられており、該第２フレキシブルジョイントの下流にサイレンサが配置されていることを特徴とする請求項１に記載の縦置搭載エンジンの排気系構造。
【請求項３】
緩拘束手段は、排気管を囲むバンドと、該バンドによる排気管の締め付け力を調節するボルト構造とを備えることを特徴とする請求項１または請求項２に記載の縦置搭載エンジンの排気系構造。
【請求項４】
排気過給機が排気マニホールドに直接、かつエンジンブロックにブラケットを介して取り付けられており、触媒コンバータは該排気過給機に排気管を介して取り付けられていることを特徴とする請求項１から請求項３のいずれかに記載の縦置搭載エンジンの排気系構造。
【請求項５】
エンジンは直噴ディーゼルエンジンであり、排気シャッター弁はエンジン冷間時もしくは室内暖房要求時に閉じるように構成されていることを特徴とする請求項１から請求項４のいずれかに記載の縦置搭載エンジンの排気系構造。
【発明の詳細な説明】
【技術分野】
【０００１】
本発明は、縦置搭載エンジンの排気系構造に関し、排気系の支持技術の分野に属する。
【背景技術】
【０００２】
自動車用エンジン等の排気系には周知のように触媒コンバータやサイレンサ等、種々の装置が備えられる。
【０００３】
例えば、特許文献１には、エンジンの下流側に上流側から順に排気ガスを浄化する触媒コンバータ、排気管を開閉する排気シャッター弁、フレキシブルジョイント、サイレンサが備えられ、フレキシブルジョイントの下流側の排気系をラバー等の弾性体を介して車体に支持し、上記ジョイントの上流側の排気系をエンジンに連結することにより車体側に剛的に支持するようにした排気系構造が開示されている。
【０００４】
ところで、上記特許文献１に記載の排気系の場合、排気ガスを浄化する装置としては、エンジンから離れた位置でフロアパネルの下方に触媒コンバータのみが設けられているが、より排気浄化性能を向上させるには、上記触媒コンバータとサイレンサとの間に排気処理装置を別途設けると共に、該触媒コンバータに供給される排気ガス温度の低下をできるだけ抑制するため該触媒コンバータをエンジンの排気マニホールドに直接固定するのが望ましい。
【０００５】
【特許文献１】実登２５８４７３４号公報
【発明の開示】
【発明が解決しようとする課題】
【０００６】
しかしながら、通常エンジンには多数の付帯装置等が取り付けられているため、取付スペースが不足して、エンジンに触媒コンバータを直接取り付けるのが困難な場合がある。特に、ピックアップトラック等でエンジンが縦置搭載されているような場合は、エンジンの側面側にタイヤハウスやサスペンション等が設けられていたり、上記側面側を車体フレーム部材が前後に延びていたりすることが多く、上記直接取り付けはより一層困難である。
【０００７】
したがって、そのような場合は、触媒コンバータをエンジンに直接取り付けるのは断念して、上記排気処理装置までの間の排気系上に設けざるを得ないが、その場合、触媒コンバータ、排気シャッター弁、及び排気処理装置は重量物で排気系が振動しやすくなるから、振動防止等のために、エンジンから排気処理装置までの間の排気系を何らかの手段により確実に支持する必要が生じる。そして、この間の排気系を支持するに当たっては、振動防止の他、高温の排気ガスによる排気管類の熱膨張や、上記のような狭いスペースでの組立作業性等さまざまな要因を含め総合的に考慮する必要がある。また、触媒コンバータに高温の排気ガスを供給しにくくなることについての対策についても考慮しておく必要がある。
【０００８】
そこで、本発明は、縦置搭載エンジンの排気系に排気処理装置や触媒コンバータ等の複数の重量物を設ける場合に、排気管類の熱膨張に対応しつつ触媒コンバータ等の重量物を確実に支持し、さらに組立作業性の改善や触媒コンバータの活性化等を達成することができる排気系構造を提供することを課題とする。
【課題を解決するための手段】
【０００９】
本発明は、次のように構成したことを特徴とする。
【００１０】
まず、本願の請求項１に記載の発明（以下、第１発明という）は、後部に変速機が配置された縦置搭載エンジンの排気系構造であって、変速機の側方において、エンジンの排気マニホールドから後方に下流側を下方に傾斜させて延びる排気通路上に触媒コンバータを配設すると共に、該コンバータの下流側の排気通路を略水平方向に屈曲させて、この略水平に変速機に沿って延びる排気通路上に上流側から順に排気シャッター弁、及びフレキシブルジョイントを配設し、かつ該フレキシブルジョイントの下流側に車体に支持された排気処理装置を配設し、上記フレキシブルジョイントの上流側の排気通路の上記略水平部分を構成する排気管をその軸方向に移動可能に緩拘束する緩拘束手段を設け、該緩拘束手段を介して上記排気管における排気シャッター弁近傍部位を変速機に支持するように構成したことを特徴とする。
【００１１】
また、本願の請求項２に記載の発明（以下、第２発明という）は、第１発明において、排気処理装置はその前部と後部とで車体に支持されていると共に、該後部側の支持部よりも下流に第２フレキシブルジョイントが設けられており、該第２フレキシブルジョイントの下流にサイレンサが配置されていることを特徴とする。
【００１２】
そして、本願の請求項３に記載の発明（以下、第３発明という）は、第１発明または第２発明において、緩拘束手段は、排気管を囲むバンドと、該バンドによる排気管の締め付け力を調節するボルト構造とを備えることを特徴とする。
【００１３】
さらに、本願の請求項４に記載の発明（以下、第４発明という）は、第１発明から第３発明のいずれかにおいて、排気過給機が排気マニホールドに直接、かつエンジンブロックにブラケットを介して取り付けられており、触媒コンバータは該排気過給機に排気管を介して取り付けられていることを特徴とする。
【００１４】
次に、本願の請求項５に記載の発明（以下、第５発明という）は、第１発明から第４発明のいずれかにおいて、エンジンは直噴ディーゼルエンジンであり、排気シャッター弁はエンジン冷間時もしくは室内暖房要求時に閉じるように構成されていることを特徴とする。
【発明の効果】
【００１５】
次に、本発明の効果について説明する。
【００１６】
まず、第１発明によれば、縦置搭載エンジン後部に直列に配置された変速機側方のスペースを利用して重量物である触媒コンバータや排気シャッター弁を設置することができる。つまり、変速機はエンジンと比べて相対的に小型で付帯機器類が少なく、変速機側方に機器設置可能なスペースが生じることから、この変速機側方のスペースを有効活用するものである。
【００１７】
そして、触媒コンバータをエンジンの排気マニホールドから排気通路の水平部分に至る途中の傾斜部位に設けたことにより、触媒コンバータをできるだけエンジンに近い位置に配置し、効果的に機能させることができる。
【００１８】
また、上記フレキシブルジョイントの上流側の排気通路の上記略水平部分を構成する排気管をその軸方向に移動可能に緩拘束する緩拘束手段を設け、該緩拘束手段を介して上記排気管における排気シャッター弁近傍部位を変速機に支持するように構成したから、排気系の熱膨張を吸収しつつ、重量物である触媒コンバータ及び排気シャッターバルブを確実に支持することができる。
【００１９】
また、触媒コンバータ及び排気シャッター弁と排気処理装置との間にフレキシブルジョイントを設けたことにより、該フレキシブルジョイントの上流側と下流側とで排気系を分離することができ、しかもこの分離した上流側の排気系を前述のように緩拘束手段を介して変速機に支持することができるから、フレキシブルジョイント上流側の排気系とエンジンと変速機とを、予めサブアッセンブリしておくことができ、車体への組み付け性及び搬送取り扱い性が改善される。
【００２０】
しかも、触媒コンバータ及び排気シャッター弁と排気処理装置との間にフレキシブルジョイントを設けたから、エンジン側と車体側とが異なる振動を生じても、該振動が例えばエンジン側から車体側へ伝達されるのがフレキシブルジョイントの折れ曲がりにより吸収される。また、排気通路の特定の箇所に応力集中が生じにくくなり、該箇所の破損を防止することができる。
【００２１】
また、触媒コンバータの下流に排気シャッター弁が設けられているから、該排気シャッター弁を閉じれば、触媒コンバータをエンジンに直接固定することができない場合でも、触媒コンバータの暖機を促進し、該コンバータを活性化することができる。
【００２２】
そして、このように排気シャッター弁を閉じたことにより該シャッター弁より上流の排気通路内のガス圧力が上昇しても、上記フレキシブルジョイントは排気シャッター弁の下流側に位置するから、フレキシブルジョイントでのガス圧が上昇せず、フレキシブルジョイントからの排気ガス漏れが防止される。
【００２３】
また、第２発明によれば、重量物である排気処理装置をその前部と後部とで車体に支持したから、該装置を１ケ所で支持する場合よりも、該装置が振動しにくくなる。また、排気処理装置とサイレンサとの間に第２フレキシブルジョイントを設けたから、重量物である排気処理装置及びサイレンサにより該第２フレキシブルジョイントの上流側と下流側とで異なる振動が生じても、該第２フレキシブルジョイントの任意の方向への折れ曲がりにより振動が吸収され、該振動が上流側から下流側へあるいは下流側から上流側へと伝達されるのが軽減される。また、排気通路の特定の箇所に応力集中が生じにくくなり、該箇所の破損を防止することができる。
【００２４】
そして、第３発明によれば、緩拘束手段をバンドとボルト構造という簡易な構成で実現することができる。しかも、バンドによる排気管の締め付け力を適切な力に容易に変更することができる。
【００２５】
さらに、第４発明によれば、排気過給機が排気マニホールドに直接、かつエンジンブロックにブラケットを介して取り付けられているから、排気過給機のエンジンへの取付剛性が向上すると共に、該排気過給機に触媒コンバータが比較的剛性の高い排気管を介して取り付けられるので、重量物である触媒コンバータがエンジン側に確実に支持されることとなる。
【００２６】
次に、第５発明によれば、排気ガスの温度がガソリンエンジン等と比較して相対的に低い直噴ディーゼルエンジンにおいて、暖機用の排気シャッター弁を設けたから、冷間時等のエンジン暖機性が向上すると共に、上記シャッター弁の上流に設けられた触媒コンバータが速やかに活性状態となり、排気ガスが良好に浄化されることとなる。
【発明を実施するための最良の形態】
【００２７】
以下、本発明を実施するための最良の形態に係る縦置搭載エンジンの排気系構造について説明する。
【００２８】
図１に示すように、本実施の形態に係る車両１の前部（図面上左側）には燃料直接噴射式ディーゼルエンジン２が縦置配置されると共に、該エンジン２の後部には変速機３が配置されている。該エンジン２の排気マニホールド４から後方に排気通路１０が延び、該排気通路１０上には、上流側から順にターボ過給機１１、触媒コンバータ１２、暖機促進用の排気シャッタバルブ１３、排気微粒子除去装置１４、及びサイレンサ１５が設けられている。これらの装置１１〜１５は複数の排気管１６〜２３及び第１、第２のフレキシブルジョイント２４，２５により連結されている。
【００２９】
これらの装置について上流側から順に説明すると、ターボ過給機１１は、周知のように排気ガス圧力を利用して吸気圧力を高めるもので、図２に示すように、上部に設けられたフランジ１１ａがエンジン２の排気マニホールド４に直接ボルト固定されると共に、下部が、エンジンブロック２ａ（シリンダブロック）の側面に形成されたボス部にボルト固定されたブラケット２６にボルトで固定されている。
【００３０】
触媒コンバータ１２は、排気ガス中の未燃成分を燃焼させて排気ガスを浄化するもので、白金等の貴金属成分を含む触媒がコーティングされたモノリス担体を有する。
【００３１】
排気シャッタバルブ１３は、エンジン２の暖機性向上や室内暖房用ヒータの効きの向上のために用いられるもので、例えば、エンジン２の冷間始動時等にエンジン水温センサからの信号に基づいて閉じ（排気通路１０を絞り）、また、乗員による暖房装置のＯＮ操作等に基づいて閉じる（同上）ように構成されている。例えば、排気シャッタバルブ１３を閉じた状態で（排気ガスの通路が絞られた状態で）エンジン回転数を維持しながら燃料噴射量を増量すれば、燃焼による発生熱量が増加してエンジン冷却水温の上昇が促進され、この結果、エンジンの暖機及び室内暖房が促進される。また、排気シャッタバルブ１３を閉じれば、該バルブ１３より上流側の排気通路１０内に高温の排気ガスが滞留して触媒コンバータ１２の暖機が促進され、この結果、例えばエンジン冷間始動時から再生開始までの時間が短い場合でも、触媒コンバータ１２が早期に活性化することとなる。
【００３２】
排気微粒子除去装置１４は、例えば炭化珪素等のセラミックス材料からなるフィルタ部材を有し、該フィルタ部材により排気ガス中の微粒子を除去する。このフィルタ部材は多孔質材料からなると共に排気ガスの流れる方向に沿って平行に延びる多数の細孔を有するいわゆるハニカム構造のウォールスルータイプとされており、排気ガスの通路となる部分に白金等の貴金属を含む酸化触媒物質がコーティングされている。
【００３３】
フレキシブルジョイント２４，２５は球面状の外表面を有するシール部材とこれに対応する球面状の内表面を有するフレア部材とを備えており、両部材の摺動を介し、排気通路１０をほぼ任意に折れ曲がり可能とするものである。
【００３４】
ところで、図２、図３にも示すように、本実施の形態においては、排気通路１０は、エンジン２の排気マニホールド４から後方に下流側を下方に傾斜させて変速機に沿って延び、触媒コンバータ１２の下流側で略水平方向に屈曲している。そして、触媒コンバータ１２は、変速機３の側方のスペースＸにおいて、排気通路１０における矢印Ａで示す上記傾斜部位に設けられ、排気シャッターバルブ１３及びフレキシブルジョイント２４は略水平方向に屈曲した下流側の排気通路１０上に設けられている。これは、背景技術でも説明したように、触媒コンバータ１２は本来エンジン２に直接取り付けるのが望ましいが、エンジン２には上記ターボ過給機１１や、図示しない多数の付帯機器類が取り付けられたり、また、エンジン２が縦置搭載の場合、エンジン２の側面側にタイヤＷを収容するタイヤハウスやサスペンション等が配置されたり、車体１を構成して車両前後方向に延びるサイドフレーム１ａが前後に延びたりしているため、触媒コンバータ１２の設置スペース不足により該側面側に触媒コンバータ１２を設けることができないことによる。したがって、本実施の形態においては、縦置搭載エンジン２の後部に配置されてエンジン２と比べて相対的に小型で付帯機器類が少ない変速機３の側方スペースＸを有効利用して触媒コンバータ１２を設置するものである。
【００３５】
また、触媒コンバータ１２をエンジン２の排気マニホールド４から排気通路１０の水平部分に至る途中の傾斜部位Ａに設けたことにより、触媒コンバータ１２をできるだけエンジン２に近い位置に配置し、効果的に機能させることができるものである。
【００３６】
ところで、このような排気系構造とした場合、触媒コンバータ１２、排気シャッターバルブ１３、排気微粒子除去装置１４等は前述したように重量物で排気通路１０が振動しやすくなるから、振動防止等のために、エンジン２から排気微粒子除去装置１４までの間の排気通路１０を何らかの手段により支持する必要が生じる。その場合、この間の排気通路１０を支持するに当たっては、振動防止の他、高温の排気ガスによる排気管類の熱膨張や、上記のような狭いスペースでの組立作業性等さまざまな要因を含め総合的に考慮する必要がある。
【００３７】
そこで、本実施の形態においては、排気通路１０を、複数の支持機構３０，４０，５０，６０，７０により車体１に支持するだけでなく、支持機構８０により変速機３に支持するように構成している。以下、これらの支持機構３０，４０，５０，６０，７０，８０について順を追って説明する。
【００３８】
まず、支持機構３０は、図４に示すように排気通路１０を構成する排気管２０を排気微粒子除去装置１４の上流端近傍で車体１を構成する上記サイドフレーム１ａに支持するもので、排気管２０に固着された排気側吊下用ロッド３１と、上記サイドフレーム１ａに取り付けられた取付部材３２に固着された車体側吊下用ロッド３３と、該車体側吊下用ロッド３３に揺動自在に支持されたラバー部材３４とを有する。車体側吊下用ロッド３３はラバー部材３４の上部を貫通する一方、排気側吊下用ロッド３１はラバー部材３４の下部を貫通して支持されている。
【００３９】
支持機構４０は、排気通路１０を構成する排気管２１を第２フレキシブルジョイント２５の上流近傍で上記サイドフレーム１ａに支持するもので、排気管２１に固着された排気側吊下用ロッド４１と、上記サイドフレーム１ａに取り付けられた取付部材４２に固着された車体側吊下用ロッド４３と、該車体側吊下用ロッド４３にそれぞれ揺動自在に支持されたラバー部材４４とを有する。車体側吊下用ロッド４３はラバー部材４４の上部を貫通する一方、排気側吊下用ロッド４１はラバー部材４４の下部を貫通して支持されている。
【００４０】
支持機構５０，６０，７０は、上記支持機構３０，４０とほぼ同様の構成とされており、詳細な説明は省略するが、図１に示すように、支持機構５０は排気通路１０を構成するサイレンサ１５をその上流側端で上記サイドフレーム１ａに支持し、支持機構６０は排気通路１０を構成するサイレンサ１５をその下流側端で上記サイドフレーム１ａに支持し、支持機構７０は排気通路１０を構成する排気管２３をその下流側端近傍で上記サイドフレーム１ａに支持するものである。
【００４１】
次いで、支持機構８０は、図２、図３、図５に示すように、排気通路１０を構成する排気管１８をその水平部Ｂで変速機３に支持するもので、変速機３の側面を縦横に延びるリブ上に設けられたボス部にボルトで取り付けられたブラケット８１と、上記排気管１８を囲むバンド８２と、該バンド８２を上記ブラケット８１に取り付けるボルト８３ａ及びナット８３ｂからなるボルト機構８３とを有する。ここで、このボルト機構８３はバンド８２による排気管１３の拘束力の調節にも用いられる。そして、特に、バンド８２及びボルト機構８３は、上記排気管１８を該排気管１８が（すなわち排気通路１０が）軸方向に移動可能に緩く拘束する緩拘束機構８４を構成する。
【００４２】
なお、この緩拘束機構８４の設置箇所を排気通路１０における水平部Ｂとしたのは、排気通路１０の傾斜部に設けても排気管の重量により緩拘束状態を十分に達成できないからである。
【００４３】
また、緩拘束機構８４は、他の支持機構３０，４０，５０，６０，７０がサイドフレーム１ａに支持されているのとは異なり、変速機３に支持されるように構成しているが、これは、変速機３の側方に第１フレキシブルジョイント２４を設けたことと併せて、排気通路１０構成部材の組み付け性、及び搬送取り扱い性を改善することを目的とするものである。つまり、このように構成することにより、排気通路１０を構成する部材のうち第１フレキシブルジョイント２４より上流側の器材を、エンジン２、変速機３と予めアッセンブリしておくことができるようになるのである。
【００４４】
ここで、本実施の形態においては、前述のような事情によりエンジン２と触媒コンバータ１２とが離れているため、該触媒コンバータ１２の活性化を促進するため、上記排気シャッターバルブ１３に加えて、以下のような対策を施している。すなわち、本実施の形態においては、ターボ過給機１１と触媒コンバータ１２との間の排気管１６，１７については、内殻管と外殻管との間に断熱部材を介装した保温構造とし、この間を通過する排気ガスの温度低下が抑制されるようにしている。さらに、排気管１６については、その周囲にインシュレータ２７を設け、保温構造をより強化している。したがって、本実施の形態によれば、触媒コンバータ１２がエンジン２側に直接固定されている場合同様、触媒コンバータ１２が効果的に機能し、効率のよい排気浄化が実現される。また、触媒コンバータ１２から排気微粒子除去装置１４までの間の排気管１０についても同様の保温構造とされており、排気微粒子除去装置１４についても同様の効果が奏される。
【００４５】
以上のように、本実施の形態によれば、縦置搭載エンジン２の後部に配置された変速機３の側方のスペースＸを利用して重量物である触媒コンバータ１２や排気シャッターバルブ１３を設置することができる。
【００４６】
また、比較的重量物である触媒コンバータ１２、排気シャッターバルブ１３、排気微粒子除去装置１４、及びサイレンサ１５等を含む排気通路１０を、複数の支持機構４０，５０、６０，７０により車体１に弾性的に吊り下げ支持したことにより、例えば、上記排気微粒子除去装置１４やサイレンサ１５等が車体前後方向に振動した場合でも、上記支持機構４０，５０、６０，７０を構成するラバー部材が車体側吊下ロッドを中心として前後方向に揺動することによって振動が効果的に吸収され、もって車体１側への振動の伝達が抑制される。
【００４７】
また、上記第１フレキシブルジョイント２４の上流側の排気通路１０の上記略水平部分を構成する排気管１８をその軸方向に移動可能に緩拘束する緩拘束機構８４を設け、該緩拘束機構８４を介して上記排気管１８における排気シャッターバルブ１３近傍部位を変速機３に支持するように構成したから、排気通路１０を構成する各器材の熱膨張を吸収しつつ、重量物である触媒コンバータ１２及び排気シャッターバルブ１３等を確実に支持することができる。
【００４８】
また、触媒コンバータ１２及び排気シャッターバルブ１３と排気微粒子除去装置１４との間に第１フレキシブルジョイント２４を設けたことにより、該フレキシブルジョイント２４の上流側と下流側とで排気通路１０を分離することができ、しかもこの分離した上流側の排気通路１０を前述のように支持機構８０により変速機３に支持することができるから、第１フレキシブルジョイント２４上流側の排気通路１０の構成器材（ターボ過給機１１〜第１フレキシブルジョイント２４）とエンジン２と変速機３とを予めサブアッセンブリしておくことができ、車体１への組み付け性及び搬送取り扱い性が改善される。
【００４９】
しかも、触媒コンバータ１２及び排気シャッターバルブ１３と排気微粒子除去装置１４との間に第１フレキシブルジョイント２４を設けたから、エンジン２側と車体１側とが異なる振動を生じても、該振動が例えばエンジン２側から車体１側へ伝達されるのがフレキシブルジョイント２５の折れ曲がりにより吸収される。また、排気通路１０の特定の箇所に応力集中が生じにくくなり、該箇所の破損を防止することができる。
【００５０】
また、重量物である排気微粒子除去装置１４をその前部と後部とで車体に支持したから、排気微粒子除去装置１４を１ケ所で支持する場合よりも、排気微粒子除去装置１４が振動しにくくなる。また、排気微粒子除去装置１４からサイレンサ１５に至る排気通路１０の途中に第２フレキシブルジョイント２５を設けたから、重量物である排気微粒子除去装置１４及びサイレンサ１５により該第２フレキシブルジョイント２５の上流側と下流側とで異なる振動が生じても、該第２フレキシブルジョイント２５の任意の方向への折れ曲がりにより振動が吸収され、該振動が上流側から下流側へあるいは下流側から上流側へと伝達されるのが軽減される。また、排気通路１０の特定の箇所に応力集中が生じにくくなり、該箇所の破損を防止することができる。
【００５１】
そして、緩拘束機構８４をバンド８２とボルト機構８３という簡易な構成で実現することができる。しかも、バンド８２による排気管１８の締め付け力をボルト機構８３により容易に適切な力に設定することができる。
【００５２】
さらに、ターボ過給機１１が排気マニホールド４に直接、かつエンジンブロック（シリンダブロック及びシリンダヘッド、またはいずれか一方を指す）にブラケット２６を介して取り付けられているから、ターボ過給機１１のエンジン２への取付剛性が向上する。そして、該ターボ過給機１１に触媒コンバータ１２が比較的剛性の高い排気管１６，１７を介して取り付けられるので、重量物である触媒コンバータ１２がエンジン２側に堅固に支持されることとなる。
【００５３】
また、第１フレキシブルジョイント２４及び第２フレキシブルジョイント２５は排気シャッターバルブ１３の下流側に位置するから、排気シャッターバルブ１３の閉時に該バルブ１３より上流側の排気通路１０内のガス圧力が上昇した場合でも、第１フレキシブルジョイント２４や第２フレキシブルジョイント２５でのガス圧が上昇せず、したがって、該第１フレキシブルジョイント２４からの排気ガス漏れが防止される。
【００５４】
また、触媒コンバータ１２の下流に排気シャッターバルブ１３が設けられているから、該排気シャッターバルブ１３を閉じれば、触媒コンバータ１２をエンジン２側に直接固定することができない場合でも、触媒コンバータ１２の暖機を促進し、該コンバータ１２を活性化することができる。
【００５５】
そして、燃料直接噴射式ディーゼルエンジンでは他方式のエンジンに比較して排気ガス温度が低いため排気微粒子除去装置１４を再生しにくいが、本実施の形態に係る燃料直接噴射式ディーゼルエンジン２においては、前述のように、暖機用の排気シャッターバルブ１３を設けたから、冷間時等のエンジン暖機性が向上すると共に、上記シャッターバルブ１３の上流に設けられた触媒コンバータ１２が速やかに活性状態となり、排気ガスが良好に浄化されることとなる。
【００５６】
なお、上記実施の形態では、第１フレキシブルジョイント２４の上流側の排気通路１０の水平部分を構成する排気管１３，１４のうちの排気管１３を緩拘束機構８２を介して支持するようにしたが、排気管１４を支持するようにしてもよい。
【００５７】
また、特許請求の範囲における排気処理装置として本実施の形態では排気微粒子除去装置１４を用いたが、これに限定されるものではない。
【産業上の利用可能性】
【００５８】
本発明は、縦置搭載エンジンの排気系に広く適用することができる。
【図面の簡単な説明】
【００５９】
【図１】本発明を実施するための最良の形態に係る縦置搭載エンジンの排気系構造を示す概略側面図である。
【図２】排気系の上流部分の概略側面図である。
【図３】同じく概略平面図である。
【図４】排気系の中流部分の概略側面図である。
【図５】緩拘束機構を排気管軸方向後部からみた拡大図である。
【符号の説明】
【００６０】
１          車両
２          エンジン
２ａ        エンジンブロック
３          変速機
４          排気マニホールド
１０        排気通路
１１        ターボ過給機（排気過給機）
１２        触媒コンバータ
１３        排気シャッターバルブ（排気シャッター弁）
１４        排気微粒子除去装置（排気処理装置）
１５        サイレンサー
１８        排気管（フレキシブルジョイントの上流側の排気通路の水平部分を構成する排気管）
２４        第１フレキシブルジョイント（フレキシブルジョイント）
２５        第２フレキシブルジョイント（第２フレキシブルジョイント）
３０        支持機構（排気処理装置の前部側の支持部）
４０        支持機構（排気処理装置の後部側の支持部）
８０        支持機構
８２        バンド
８３        ボルト機構（ボルト構造）
８４        緩拘束機構（緩拘束手段）
【図１】
2005155440.tif 000003
【図２】
2005155440.tif 000004
【図３】
2005155440.tif 000005
【図４】
2005155440.tif 000006
【図５】
2005155440.tif 000007